(57)【要約】【課題】利用者の利便性を向上させることができる空気清浄機を提供する。【解決手段】空気清浄機は、脱臭機能を有し、加熱により脱臭機能が回復し得るように形成された脱臭エレメントと、前記脱臭エレメントを加熱し得るように形成されたヒーターと、前記ヒーターが動作するまでの残時間又は前記ヒーターの動作が停止するまでの残時間を表示する表示部と、を備えた。当該構成を備えることにより、利用者の利便性を向上させることができる。【選択図】図３
2014195515.tif 000002
【特許請求の範囲】
【請求項１】
脱臭機能を有し、加熱により脱臭機能が回復し得るように形成された脱臭エレメントと、
前記脱臭エレメントを加熱し得るように形成されたヒーターと、
前記ヒーターが動作するまでの残時間又は前記ヒーターの動作が停止するまでの残時間を表示する表示部と、
を備えた空気清浄機。
【請求項２】
外部に向けて開口する吸込口及び吹出口を有し、当該吸込口と当該吹出口をつなぐ通風路を有したケースと、
前記ケース内に設けられ、前記通風路に室内の空気を導入する送風手段と、
前記送風手段の累積運転時間が予め設定された累積運転時間に達した場合に、前記ヒーターを動作させる制御手段と、
を備え、
前記表示部は、前記予め設定された累積運転時間までの残時間を表示する請求項１に記載の空気清浄機。
【請求項３】
前記予め設定された累積運転時間までの残時間が予め設定された残時間となると、報知音で報知するブザー、
を備えた請求項２に記載の空気清浄機。
【請求項４】
前記予め設定された累積運転時間までの残時間が予め設定された残時間となると、音声で報知する音声出力部、
を備えた請求項２に記載の空気清浄機。
【請求項５】
前記予め設定された累積運転時間までの残時間が予め設定された残時間となると、発光で報知する発光部、
を備えた請求項２に記載の空気清浄機。
【請求項６】
前記予め設定された累積運転時間までの残時間に関する無線信号を送信する送信部、
を備えた請求項２〜請求項５のいずれか一項に記載の空気清浄機。
【請求項７】
前記ヒーターの動作時間が予め設定された時間に達した場合に、前記ヒーターを停止させる制御手段、
を備え、
前記表示部は、前記予め設定された時間までの残時間を表示する請求項１に記載の空気清浄機。
【請求項８】
前記予め設定された時間までの残時間に関する無線信号を送信する送信部、
を備えた請求項７に記載の空気清浄機。
【発明の詳細な説明】
【技術分野】
【０００１】
この発明は、空気清浄機に関するものである。
【背景技術】
【０００２】
空気清浄機においては、ファンが駆動すると、室内の空気が空気吸込口から本体ケース内部に取り込まれる。当該空気は、フィルターを通過する。この際、フィルターは、当該空気から塵埃を除去する。その後、当該空気は、消臭部を通過する。この際、消臭部は、当該空気中の臭気成分を吸着する。空気清浄機の運転時間が予め設定された時間に達すると、加熱部が消臭部を加熱する。当該加熱により、消臭部に吸着された臭気成分が除去される。その結果、消臭部の消臭機能が回復する（例えば、特許文献１参照）。
【先行技術文献】
【特許文献】
【０００３】
【特許文献１】特開２００１−３８１２６号公報
【発明の概要】
【発明が解決しようとする課題】
【０００４】
しかしながら、消臭部の脱臭機能を回復している際は、空気清浄機で室内の臭気を脱臭できない。このため、利用者が室内にいても室内の臭気を脱臭できない場合がある。その結果、利用者の利便性が低下する。
【０００５】
この発明は、上述の課題を解決するためになされたもので、利用者の利便性を向上させることができる空気清浄機を提供することである。
【課題を解決するための手段】
【０００６】
この発明に係る空気清浄機は、脱臭機能を有し、加熱により脱臭機能が回復し得るように形成された脱臭エレメントと、前記脱臭エレメントを加熱し得るように形成されたヒーターと、前記ヒーターが動作するまでの残時間又は前記ヒーターの動作が停止するまでの残時間を表示する表示部と、を備えたものである。
【発明の効果】
【０００７】
この発明によれば、利用者の利便性を向上させることができる。
【図面の簡単な説明】
【０００８】
【図１】この発明の実施の形態１における空気清浄機の正面図である。
【図２】この発明の実施の形態１における空気清浄機の側面図である。
【図３】この発明の実施の形態１における空気清浄機の平面図である。
【図４】この発明の実施の形態１における空気清浄機の分解斜視図である。
【図５】この発明の実施の形態１における空気清浄機の脱臭部を前方から見た斜視図である。
【図６】この発明の実施の形態１における空気清浄機の脱臭部を後方から見た斜視図である。
【図７】図１のＢ−Ｂ線における断面図である。
【図８】この発明の実施の形態１における空気清浄機の動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における空気清浄機の正面図である。図２はこの発明の実施の形態１における空気清浄機の側面図である。図３はこの発明の実施の形態１における空気清浄機の平面図である。図４はこの発明の実施の形態１における空気清浄機の分解斜視図である。
【００１１】
図１の空気清浄機Ａにおいて、前パネル１は、正面視において長方形状に形成される。前パネル１の前面には、複数の空気吸込口２が形成される。空気吸込口２は、長手方向を水平方向にして形成される。空気吸込口２は、外部に向けて開口する。すなわち、空気吸込口２は、空気清浄機Ａの前後方向に貫通する。
【００１２】
図２に示すように、前パネル１の後方には、前ケース３が設けられる。前ケース３は、直方体状に形成される。前ケース３の正面は、前パネル１に覆われる。前ケース３の下面には、複数の車輪４が設けられる。前ケース３の後方には、後ケース５が設けられる。後ケース５は、直方体状に形成される。後ケース５の下面には、複数の車輪６が設けられる。
【００１３】
図３に示すように、前ケース３の上面には、ハンドル７と操作部８が設けられる。操作部８には、複数の操作ボタン８ａ、表示部８ｂ、ブザー８ｃ、音声出力部８ｄ、発光部８ｅ、送信部８ｆが設けられる。後ケース５の上面には、空気吹出口９が形成される。空気吹出口９は、外部に向けて開口する。すなわち、空気吹出口９は、空気清浄機Ａの上下方向に貫通する。
【００１４】
図４に示すように、前パネル１の下流側には、プレフィルター１０と集塵フィルター１１とが着脱自在に設けられる。集塵フィルター１１の下流側には、脱臭部１２が設けられる。後ケース５には、送風手段として、送風モーター１３と送風ファン１４とが設けられる。
【００１５】
次に、図５と図６とを用いて、脱臭部１２を説明する。
図５はこの発明の実施の形態１における空気清浄機の脱臭部を前方から見た斜視図である。図６はこの発明の実施の形態１における空気清浄機の脱臭部を後方から見た斜視図である。
【００１６】
図５に示すように、脱臭部１２には、基体として、枠体１５が設けられる。図６に示すように、枠体１５には、脱臭エレメント１６が設けられる。脱臭エレメント１６は、円板状に形成される。脱臭エレメント１６は、セラミック又はアルミニウムにより形成されたハニカムコアからなる。すなわち、脱臭エレメント１６には、蜂の巣の開口のような複数の開口が形成される。例えば、脱臭エレメント１６には、触媒がバインダーを介して塗布される。例えば、脱臭エレメント１６には、触媒が含浸される。
【００１７】
脱臭エレメント１６下部の後方には、加熱ユニット１７が設けられる。加熱ユニット１７は、扇状に形成される。加熱ユニット１７の内部には、ヒーター（図示せず）が設けられる。例えば、ヒーターは、ＰＴＣヒーターからなる。ＰＴＣヒーターは、チタン酸バリウムを主成分とする半導体セラミックからなる。脱臭エレメント１６上部一側の後方には、位置変更手段として、駆動手段１８が設けられる。
【００１８】
次に、図７を用いて、空気清浄機Ａの内部を説明する。
図７は図１のＢ−Ｂ線における断面図である。
【００１９】
図７に示すように、後ケース５の下部には、制御手段として、制御部１９が設けられる。制御部１９は、操作部８、送風モーター１３、加熱ユニット１７、駆動手段１８に電気的に接続される。
【００２０】
空気清浄機Ａの内部には、通風路Ｒが形成される。通風路Ｒは、空気吸込口２、プレフィルター１０、集塵フィルター１１、脱臭エレメント１６、送風ファン１４、空気吹出口９をつなぐように形成される。
【００２１】
空気清浄機Ａにおいて、利用者が操作部８の操作ボタン８ａにより通常運転モードを選択すると、操作部８は、通常運転モードに対応した情報を出力する。当該情報は、制御部１９に入力される。当該情報に基づいて、制御部１９は、空気清浄機Ａの運転を行うプログラムを実行する。
【００２２】
具体的には、制御部１９は、送風モーター１３を駆動する。当該駆動により、送風ファン１４が予め設定された回転数で回転する。当該回転により、吸込み力が発生する。当該吸込み力により、室内の空気が空気吸込口２へ流入する。この際、表示部８ｂには、次回の脱臭機能回復動作までの残時間が表示される。
【００２３】
当該空気は、空気清浄機Ａの内部を後方へと流れる。当該空気は、プレフィルター１０を通過する。この際、プレフィルター１０は、空気中から大きな塵埃を取り除く。その後、当該空気は、集塵フィルター１１を通過する。この際、集塵フィルター１１は、空気中から微細な塵埃を取り除く。
【００２４】
その後、当該空気は、更に後方へと流れる。当該空気は、脱臭エレメント１６に至る。当該空気は、脱臭エレメント１６上部の表側から裏側へと通過する際に、ハニカム形状の開口を通過する。この際、脱臭エレメント１６の触媒は、空気に含まれる臭気を吸着する。当該吸着により、臭気が空気から取り除かれる。
【００２５】
当該空気は、更に後方に流れる。当該空気は、送風ファン１４に至る。当該空気は、空気吹出口９から外部に吐き出される。
【００２６】
空気清浄機Ａの運転を継続すると、脱臭エレメント１６には、吸着した臭気が蓄積される。当該蓄積により、脱臭エレメント１６の脱臭機能が低下する。
【００２７】
そこで、制御部１９は、表示部８ｂに表示される残時間が０分になると脱臭機能回復動作を開始する。すなわち、制御部１９は、前回の脱臭機能回復動作が終了してからの累積運転時間が予め設定された時間を超えた場合に、脱臭機能回復動作を開始する。
【００２８】
具体的には、制御部１９は、空気清浄機Ａが空気清浄運転を行っていない状態において、加熱ユニット１７に対して通電する。当該通電により、加熱ユニット１７が熱を発する。当該熱により、脱臭エレメント１６において、加熱ユニット１７と対向している部位が予め設定された温度まで上昇する。当該加熱は、予め設定された時間だけ継続する。その結果、脱臭エレメント１６において、当該部位に吸着した臭気が十分に除去される。この際、送風モーター１３は、駆動していても駆動していなくてもよい。この際、表示部８ｂには、脱臭機能回復動作終了までの残時間が表示される。
【００２９】
当該部位に対する脱臭機能回復動作が終了すると、制御部１９は、駆動手段１８を予め設定された時間だけ動作させる。当該動作により、脱臭エレメント１６が予め設定された角度だけ回転する。当該回転により、当該部位は、加熱ユニット１７に対して回転方向にずれる。
【００３０】
このように、制御部１９は、脱臭エレメント１６の局部的な加熱と回転とを繰り返す。その結果、脱臭エレメント１６の全域が加熱される。当該加熱により、脱臭エレメント１６の全域において、吸着した臭気が十分に除去される。
【００３１】
次に、図８を用いて、空気清浄機Ａの動作を説明する。
図８はこの発明の実施の形態１における空気清浄機の動作を説明するためのフローチャートである。
【００３２】
ステップＳ１において、操作部８からの入力により、制御部１９は、空気清浄機Ａの運転を開始する。その後、ステップＳ２に進み、空気清浄機Ａは、空気清浄運転を開始する。その後、ステップＳ３に進み、制御部１９は、送風モーター１３に対して通電する。その後、ステップＳ４に進み、制御部１９は、計時手段として、送風モーター１３の通電とほぼ同時に累積運転時間ＴＸの計時を開始する。その後、ステップＳ５に進み、制御部１９は、累積運転時間ＴＸと予め設定された時間Ｔ１とに基づいた残時間Ｔαの表示を表示部８ｂに開始させる。
【００３３】
その後、ステップＳ６に進み、制御部１９は、累積運転時間ＴＸが予め設定された時間Ｔ１以上か否かを判定する。ステップＳ６で累積運転時間ＴＸが予め設定された時間Ｔ１未満の場合は、ステップＳ２に戻る。ステップＳ６で累積運転時間ＴＸが予め設定された時間Ｔ１以上の場合は、ステップＳ７に進む。
【００３４】
ステップＳ７では、制御部１９は、送風モーター１３の通電を停止する。その後、ステップＳ８に進み、制御部１９は、残時間Ｔαの表示を表示部８ｂに終了させる。その後、ステップＳ９に進み、空気清浄機Ａは、空気清浄運転を終了する。
【００３５】
その後、ステップＳ１０に進み、制御部１９は、脱臭機能回復動作を開始する。その後、ステップＳ１１に進み、制御部１９は、加熱ユニット１７に対して通電する。その後、ステップＳ１２に進み、制御部１９は、加熱ユニット１７の通電とほぼ同時に加熱ユニット通電時間ＴＹの計時を開始する。その後、ステップＳ１３に進み、制御部１９は、加熱ユニット通電時間ＴＹと予め設定された時間Ｔ２とに基づいた残時間Ｔβの表示を表示部８ｂに開始させる。
【００３６】
その後、ステップＳ１４に進み、制御部１９は、加熱ユニット通電時間ＴＹが予め設定された時間Ｔ２以上か否かを判定する。ステップＳ１４で加熱ユニット通電時間ＴＹが予め設定された時間Ｔ２未満の場合は、ステップＳ１１に戻る。ステップＳ１４で加熱ユニット１７通電時間ＴＹが予め設定された時間Ｔ２以上の場合は、ステップＳ１５に進む。
【００３７】
ステップＳ１５では、制御部１９は、加熱ユニット１７の通電を停止する。その後、ステップＳ１６に進み、制御部１９は、残時間Ｔβの表示を表示部８ｂに終了させる。その後、ステップＳ１７に進み、制御部１９は、駆動手段１８に対して通電する。その後、ステップＳ１８に進み、制御部１９は、駆動手段１８の通電とほぼ同時に駆動手段通電時間ＴＺの計時を開始する。
【００３８】
その後、ステップＳ１９に進み、制御部１９は、駆動手段通電時間ＴＺが予め設定された時間Ｔ３以上か否かを判定する。ステップＳ１９で駆動手段通電時間ＴＺが予め設定された時間Ｔ３未満の場合は、ステップＳ１７に戻る。ステップＳ１９で駆動手段通電時間ＴＺが予め設定された時間Ｔ３以上の場合は、ステップＳ２０に進む。
【００３９】
ステップＳ２０では、制御部１９は、駆動手段１８の通電を停止する。その後、ステップＳ２１に進み、制御部１９は、脱臭機能回復動作を終了する。その後、ステップＳ２に戻り、空気清浄運転が再開される。
【００４０】
以上で説明した実施の形態１によれば、表示部８ｂは、次回の脱臭機能回復動作までの残時間を表示する。このため、利用者は、空気清浄機を効率よく使用できる。例えば、複数の空気清浄機が使用されている場合に、次回の脱臭回復動作までの残時間が長い空気清浄機を使用する等の配慮が可能となる。また、脱臭機能回復動作中、表示部８ｂは、脱臭機能回復動作終了までの残時間を表示する。このため、利用者は、いつから脱臭運転できるかを把握することができる。
【００４１】
なお、累積運転時間ＴＸまでの残時間が予め設定された時間（例えば、１０分）となった際に、ブザー８ｃにより音で報知したり、音声出力部８ｄにより音声で報知したり、発光部８ｅにより発光で報知したりしてもよい。この場合、空気清浄機から離れた利用者に対し、脱臭機能回復動作の開始が近づいたことを知らせることができる。
【００４２】
また、空気清浄運転中に次回の脱臭機能回復動作までの残時間Ｔαに関する情報を送信部８ｆにより無線信号で送信してもよい。また、脱臭機能回復動作中に脱臭機能回復動作終了までの残時間Ｔβに関する情報を送信部８ｆにより無線信号で送信してもよい。この場合、当該無線信号の受信部を備えた受信機で残時間Ｔα、残時間Ｔβに関する情報を受信すれば、遠方で情報を確認したり、情報を一元管理したりすることができる。その結果、複数の空気清浄機が使用されている場合に、次回の脱臭回復動作までの残時間が長い空気清浄機を使用する等の一元管理が可能となる。
【符号の説明】
【００４３】
１  前パネル、  ２  空気吸込口、  ３  前ケース、  ４  車輪、  ５  後ケース、  ６  車輪、  ７  ハンドル、  ８  操作部、  ８ａ  操作ボタン、  ８ｂ  表示部、  ８ｃ  ブザー、  ８ｄ  音声出力部、  ８ｅ  発光部、  ８ｆ  送信部、  ９  空気吹出口、  １０  プレフィルター、  １１  集塵フィルター、  １２  脱臭部、  １３  送風モーター、  １４  送風ファン、  １５  枠体、  １６  脱臭エレメント、  １７  加熱ユニット、  １８  駆動手段、  １９  制御部
【図１】
2014195515.tif 000003
【図２】
2014195515.tif 000004
【図３】
2014195515.tif 000005
【図４】
2014195515.tif 000006
【図５】
2014195515.tif 000007
【図６】
2014195515.tif 000008
【図７】
2014195515.tif 000009
【図８】
2014195515.tif 000010